(57)【要約】【課題】設置に手間を要さず、長期間に亘って使用可能な飛翔昆虫捕獲容器を提供すること。【解決手段】飛翔昆虫の誘引孔１１ａ、１１ｂを形成した容器１０内に、表面に飛翔昆虫が入り込むことができる多数の小孔を備えた連続気泡発泡体２を配し、この連続気泡発泡体２に飛翔昆虫誘引成分を含浸させる。【選択図】図１
2010158186.tif 000002
【特許請求の範囲】
【請求項１】
飛翔昆虫の誘引孔を形成した容器内に、表面に飛翔昆虫が入り込むことができる多数の小孔を備えた連続気泡発泡体を配し、該連続気泡発泡体に飛翔昆虫誘引成分及び殺虫成分を含浸させてなることを特徴とする飛翔昆虫捕獲器。
【請求項２】
連続気泡発泡体に殺虫成分を含浸させてなることを請求項１記載の特徴とする飛翔昆虫捕獲器。
【請求項３】
連続気泡発泡体を着脱可能に配したことを特徴とする請求項１又は２記載の飛翔昆虫捕獲器。
【発明の詳細な説明】
【技術分野】
【０００１】
本発明は、飛翔昆虫捕獲容器に関し、主として、ショウジョウバエ等のコバエ類を捕獲するために用いられる飛翔昆虫捕獲容器に関するものである。
【背景技術】
【０００２】
ショウジョウバエ等のコバエ類は、ゴミや腐敗した食物等から発生して人に不快感を与えることから、これを捕獲するための飛翔昆虫捕獲容器が提案され、実用化されている（例えば、特許文献１〜３参照）。
【０００３】
ところで、従来の飛翔昆虫捕獲容器は、飛翔昆虫捕獲容器内に配した飛翔昆虫誘引成分によって飛翔昆虫を誘引し、捕獲容器内に入った飛翔昆虫を、飛翔昆虫捕獲容器内に配した粘着剤によって捕獲するものであり、このため、飛翔昆虫誘引成分と粘着剤との配合や設置に工夫や手間を要したり、飛翔昆虫捕獲容器を長期間に亘って使用すると、粘着剤の粘着力が低下するのに合わせて、飛翔昆虫の捕獲効果が低下するという問題があった。
【先行技術文献】
【特許文献】
【０００４】
【特許文献１】特開２００２−２０５９０４号公報
【特許文献２】特開２００６−１４９２９５号公報
【特許文献３】特開２００６−１９１８８３号公報
【発明の概要】
【発明が解決しようとする課題】
【０００５】
本発明は、上記従来の飛翔昆虫捕獲容器の有する問題点に鑑み、設置に手間を要さず、長期間に亘って使用可能な飛翔昆虫捕獲容器を提供することを目的とする。
【課題を解決するための手段】
【０００６】
上記目的を達成するため、本発明の飛翔昆虫捕獲容器は、飛翔昆虫の誘引孔を形成した容器内に、表面に飛翔昆虫が入り込むことができる多数の小孔を備えた連続気泡発泡体を配し、該連続気泡発泡体に飛翔昆虫誘引成分を含浸させてなることを特徴とする。
【０００７】
この場合において、連続気泡発泡体に殺虫成分を含浸させてなることができる。
【０００８】
また、連続気泡発泡体を着脱可能に配するようにすることができる。
【発明の効果】
【０００９】
本発明の飛翔昆虫捕獲容器によれば、飛翔昆虫の誘引孔を形成した容器内に、表面に飛翔昆虫が入り込むことができる多数の小孔を備えた連続気泡発泡体を配し、該連続気泡発泡体に飛翔昆虫誘引成分を含浸させてなることから、飛翔昆虫誘引成分によって誘引されて連続気泡発泡体の表面に形成された小孔に入り込んだ飛翔昆虫は、連続気泡発泡体から抜け出すことができず、飛翔昆虫を確実に捕獲することができ、設置に手間を要さず、飛翔昆虫誘引成分が存在する限り飛翔昆虫の捕獲効果が低下することがないことから、長期間に亘って使用することができる。
【００１０】
また、連続気泡発泡体に、飛翔昆虫誘引成分と共に殺虫成分を含浸させることにより、飛翔昆虫の捕殺効果を向上することができる。
【００１１】
また、連続気泡発泡体を着脱可能に配することにより、飛翔昆虫誘引成分及び殺虫成分が蒸散した場合には、飛翔昆虫誘引成分及び殺虫成分を含浸させた新たな連続気泡発泡体を用意することによって、容器を再利用することができる。
【図面の簡単な説明】
【００１２】
【図１】本発明の飛翔昆虫捕獲容器の一実施例を示し、（ａ）は飛翔昆虫捕獲容器の平面図、（ｂ）は飛翔昆虫捕獲容器の正面図、（ｃ）は下部容器の平面図、（ｄ）は下部容器の正面断面図である。
【発明を実施するための形態】
【００１３】
以下、本発明の飛翔昆虫捕獲容器の実施の形態を、図面に基づいて説明する。
【実施例１】
【００１４】
図１に、本発明の飛翔昆虫捕獲容器の一実施例を示す。
この飛翔昆虫捕獲容器１は、飛翔昆虫の誘引孔１１ａ、１１ｂを形成した容器１０内に、表面に飛翔昆虫が入り込むことができる多数の小孔を備えた連続気泡発泡体２を配し、この連続気泡発泡体２に飛翔昆虫誘引成分、さらに、必要に応じて、殺虫成分を含浸させるようにしている。
【００１５】
この場合において、容器１０は、合成樹脂製の成形品からなり、飛翔昆虫の誘引孔１１ａ、１１ｂを形成した上部容器１１と、連続気泡発泡体２を配する下部容器１２とから構成するとともに、下部容器１２に連続気泡発泡体２を着脱可能に配するようにし、連続気泡発泡体２を配した下部容器１２に、上部容器１１を嵌着することにより、一体化して、飛翔昆虫捕獲容器１を構成するようにしている。
【００１６】
連続気泡発泡体２は、ポリウレタン樹脂、ポリオレフィン樹脂等の合成樹脂製の連続気泡発泡体からなり、表面に飛翔昆虫が入り込むことができる多数の小孔を備えて構成するようにしている。
なお、小孔は、連続気泡発泡体を製造する際に自然に形成される連続気泡をそのまま利用することができるが、必要に応じて、連続気泡発泡体に付加的に小孔を形成することもできる。
この小孔は、小孔に入り込んだ飛翔昆虫が、小孔内で回転することができず、抜け出すことができない程度の大きさ、具体的には、特に限定されるものではないが、通常、０．２〜数ｍｍ程度、好ましくは、０．５〜２ｍｍ程度の口径を有するものとする。
【００１７】
飛翔昆虫誘引成分には、公知の飛翔昆虫誘引剤を使用することができ、具体的には、特に限定されるものではないが、糖分、野菜類、果物類等の植物から抽出した成分、魚介類、肉類等の動物から抽出した成分、酢酸、アルコール、牛乳、油のほか、必要に応じて、ソルビン酸等の防腐剤を適宜配合して使用することができる。
【００１８】
殺虫成分には、公知の殺虫剤を使用することができ、具体的には、特に限定されるものではないが、ネオニコチノイド系、ピレスロイド系等の殺虫剤を使用することができる。
【００１９】
この飛翔昆虫捕獲容器１は、飛翔昆虫誘引成分によって誘引されて連続気泡発泡体２の表面に形成された小孔に入り込んだ飛翔昆虫が、連続気泡発泡体２から抜け出すことができず、飛翔昆虫を確実に捕獲することができ、設置に手間を要さず、飛翔昆虫誘引成分が存在する限り飛翔昆虫の捕獲効果が低下することがないことから、長期間に亘って使用することができる。
【００２０】
さらに、連続気泡発泡体２に、飛翔昆虫誘引成分と共に殺虫成分を含浸させることにより、飛翔昆虫の捕殺効果を向上することができる。
【００２１】
この場合において、連続気泡発泡体２から飛翔昆虫誘引成分（及び殺虫成分）が蒸散し、飛翔昆虫の捕獲（捕殺）効果が低下した場合には、下部容器１２に着脱可能に配した連続気泡発泡体２を除去し、飛翔昆虫誘引成分（及び殺虫成分）を含浸させた新たな連続気泡発泡体を装着することによって、容器１０を再利用することができる。
【００２２】
以上、本発明の飛翔昆虫捕獲容器について、その実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明の飛翔昆虫捕獲容器は、設置に手間を要さず、長期間に亘って使用可能であるという特性を有していることから、ショウジョウバエ等のコバエ類を捕獲する用途に好適に用いることができるほか、例えば、他の飛翔昆虫を捕獲する用途にも用いることができる。
【符号の説明】
【００２４】
１    飛翔昆虫捕獲容器
１０  容器
１１  上部容器
１１ａ  飛翔昆虫の誘引孔
１１ｂ  飛翔昆虫の誘引孔
１２  下部容器
２    連続気泡発泡体
【図１】
2010158186.tif 000003